(57)【要約】【課題】  本発明は、原稿の向きを検出することを課題とする。【解決手段】  本発明に係るが造形性装置は、ＲＦＩＤタグを一角に含む用紙に画像を形成すると共に、前記ＲＦＩＤタグが位置する用紙内の場所を示すところの対用紙タグ位置情報を前記ＲＦＩＤタグに書き込む。【選択図】  図５
2006173745.tif 000002
【特許請求の範囲】
【請求項１】
ＲＦＩＤタグを一角に含む用紙に画像を形成すると共に、前記ＲＦＩＤタグが位置する用紙内の場所を示すところの対用紙タグ位置情報を前記ＲＦＩＤタグに書き込む手段を有する画像形成装置。
【請求項２】
ＲＦＩＤタグを一角に含む用紙を、光学的に読み取る手段を備えた画像読取装置であって、
前記ＲＦＩＤタグはそれが位置する用紙上の位置を示すところの対用紙タグ位置情報を保持していて、
前記用紙が読み取られる再に前記ＲＦＩＤタグが前記画像形成装置に対してしてどこに位置するかを示すところの対機器タグ位置情報を検出する手段と、
前記用紙を読み取る再に、前記対用紙タグ位置情報を前記ＲＦＩＤタグから読み出す手段と、
得られた対機器タグ位置情報と対用紙タグ位置情報から用紙の向きと裏表の状態を判断する手段を備えた画像読取装置。
【発明の詳細な説明】
【技術分野】
【０００１】
本発明はユーザがセットした文書を読み取り、画像データを取得し必要に応じて画像データを印刷または転送する画像読取装置または画像形成装置に関し、特にユーザがセットした文書を裏表または異なる方向へセットしても正しく画像データを取得するための技術に関するものである。
【背景技術】
【０００２】
従来の技術としては、特許文献１に開示されるような画像読取装置及びファクシミリ装置があった。
【０００３】
前記従来技術は、セットされた原稿を読み取って得た画情報中の絶対的または白画素量に対する相対的な黒画素量を検出する黒画素量検出手段と、その黒画素量検出手段が検出した黒画素量と予め記憶した所定のしきい値とを比較し、当該黒画素量が当該所定のしきい値以下である場合に、前記セットされた原稿が裏表逆であると判定して所定のエラー処理を行う裏読み防止手段とを少なくとも備えた画像読取装置において、しきい値入力手段と、前記所定のしきい値を、前記しきい値入力手段により入力された値に書き換えるしきい値書換手段とを備えたことを特徴としている。
【特許文献１】特開平１１−１１２７２７号公報
【発明の開示】
【発明が解決しようとする課題】
【０００４】
しかるに、前記従来例においては以下に述べるような問題があった。
【０００５】
第一に、上記従来技術においては、多様な読取原稿の光学的性質の差に十分には対応できず、原稿が裏表逆にセットされていないのに、白紙と判断してまったり、逆に、原稿が裏表逆にセットされているのに、白紙ではないと判断してまったりする等、原稿の誤セットの検出精度が低いという問題点があった。そのため、上記従来技術ではさらに原稿が裏表逆にセットされたと判断するための基準となる前記所定のしきい値を再設定可能にしているが原稿の種類ごとに前記しきいちを設定しなおすのは非常に煩雑な作業であった。
【０００６】
第二に、上記従来例においては原稿の向きを検出することができなかった。
【課題を解決するための手段】
【０００７】
本発明はかかる問題を解決するために以下の手段を設けるものである。
【０００８】
すなわち、ＲＦＩＤタグを一角に含む用紙に画像を形成すると共に、前記ＲＦＩＤタグが位置する用紙内の場所を示すところの対用紙タグ位置情報を前記ＲＦＩＤタグに書き込む手段と、前記ＲＦＩＤタグを一角に含む用紙を、光学的に読み取る手段と、前記ＲＦＩＤタグはそれが位置する用紙上の位置を示す対用紙タグ位置情報を保持していて、前記用紙が読み取られる再に前記ＲＦＩＤが前記画像形成装置に対してしてどの方向に位置するかを示すところの対機器タグ位置情報を検出する手段と、前記用紙を読み取る再に前記対用紙タグ位置情報を読み出す手段と、得られた対機器タグ位置情報と対用紙タグ位置情報から用紙の向きと裏表の状態を判断する手段を備えたものである。
【発明の効果】
【０００９】
本発明によれば、原稿の裏表、向きなどの自動検知が可能になる。また、他の効果として片面印刷された文書の裏面を省資源のために再利用しようとした場合においても、ＲＦＩＤタグ６００の用紙内位置情報を書き換えることにより表裏の認識を変更することができるという効果もある。
【発明を実施するための最良の形態】
【００１０】
図３において、ＲＦＩＤタグ６００の詳細な説明を行う。ＲＦＩＤタグ６００は、６０１の不揮発性メモリ、６０２の電波を送受信するためのアンテナ部と、６０３の共振コンデンサ部、６０４の電源の整流・平滑を行うための電力形成部と、６０５の電波の変調、復調を行うための復変調部、６０６の制御部とから構成される。
【００１１】
６０２のアンテナ部は、６０３の共振コンデンサと組み合わされ、共振回路を構成できるようになっている。外部から電力を供給するための電波信号が送られることにより、これを共振回路でうけっとって、前記６０４に示される電力形成部へ供給し、６０４の電力生成部は６００のＲＦＩＤタグ６００を動作させるための電力を供給することが可能となる。前記電力は、６０１の不揮発性メモリや、６０５の復変調回路へ供給される。６０６の制御部は、６００のＲＦＩＤタグの制御を行うためのものである。
【００１２】
外部から、電力を供給するための電波とあわせて、ＲＦＩＤタグ６００から読み出す、または書き着込むためのデータも同時に送受信され、６００のＲＦＩＤタグへ送られてきた信号は、６０５の復変調回路によって、復調され６０６の制御部を介して、６０１の不揮発性メモリへ記憶される。また、６０６の制御部によって、６０１の不揮発性メモリから読み出されたデータは、６０５の復変調回路によって変調され、６０２のアンテナ部から電波信号として送信可能である。
図４において、ＲＦＩＤタグ６００の読み取り、または書き込みを行うためのリーダライタ部５００の詳細な説明を行う。リーダライタ部５００は、６００のＲＦＩＤタグ部に対して電波を送信するための送信アンテナ部５０１と、送信アンテナから送信する電波の変調を行うための変調回路５０２と、６００のＲＦＩＤタグ部から送られてくる電波を受信するための受信アンテナ部５０３、５０３の受信アンテナ部より受信した信号を復調するための復調回路５０４、また５０１の送信アンテナ部と、５０２の変調回路、５０３の受信アンテナ部、５０４の復調回路を制御するための制御部５０５と、上位機器との通信を行うｉ／Ｆ部５０６と、送信アンテナ部５０１に接続され、６００のＲＦＩＤタグへの電力供給を行う電源５０７から構成される。
【００１３】
リーダライタ部５００が出力する電波の周波数及び強さと６０２のアンテナ部の形状によりアクセス可能距離が決定されるが、本発明に適応するためには最長２ｃｍ程度の距離が好ましい。
【００１４】
図２は、本発明を実施した白黒のプリント記録用のプリントエンジン２１とそのアクセサリーとを備えたデジタル複合機の断面図である。図２において、ドキュメントフィーダ（ＤＦ）に、原稿をフェースアップで載置して、スタートキーを押すと、原稿はＲＦＩＤリーダライタ２２の近傍を通過して原稿読み取り部２３の上面に搬送される。その際には後で述べるように原稿上のＲＦＩＤタグ６００の位置が検出されると共にその内容が読み取られる。
【００１５】
原稿読取部２３の上面に搬送された原稿は光源２４で照射され、ＣＣＤ２５でその反射光を読み取って、デジタル信号に変換され、所望の画像処理を行ってレーザ記録信号に変換される。その記録信号は、レーザ記録部２６で記録レーザに変換され、感光体２７に照射され、感光体２７に潜像を形成する。そして、トナー現像を行い、用紙カセット２８から給紙された記録紙に、トナーを記録し、定着部２９でトナーを定着させてフィニッシャー２１０に排出する。前記記録紙は用紙カセット２８から給紙され感光体２７へ搬送される際にＲＦＩＤリーダライタ２１２の近傍を通過するので、印刷する際に情報を書き込み可能な構成である。
【００１６】
フィニッシャー２１０では、オペレータに指定された機能に応じて各種の動作をする。具体的には、ステイプル（例えば１個所または２箇所綴じ）や、パンチ（例えば２穴または３穴）や、製本中綴じ等の各種機能を有している。排紙トレイ２１１は２つあり、オペレータの設定によって、コピー、プリンタ、ＦＡＸの機能毎に排紙トレイ２１１を振り分けることができる。
【００１７】
尚、プリントエンジン２１は、白黒のプリンタではあるが、カラー記録のプリンタエンジンでもよい。プリンタとして利用される場合、ドライバによりプリンタにおける出力形式として、以下の機能を設定できる。例えば、白黒プリントまたはカラープリント、用紙サイズ、Ｎｉｎ１、両面、ステイプル、パンチ、製本中綴じ、合紙、表紙、裏表紙等の各種出力形式が設定可能である。
【００１８】
図１は本発明を実施したデジタル複合機のドキュメントフィーダ部を上から俯瞰した図である。非読取原稿１０が搬送される先には1対のＲＦＩＤリーダライタ５００Ａと５００Ｂが配置される。図６から図１０の動作フローチャートに沿って説明すれば、読取動作が開始したならば（Ｓ６０１）、原稿１０の左端がＲＦＩＤリーダライタ５００Ａと５００Ｂを横切るタイミングＴ１においてＲＦＩＤタグ６００をリードする（Ｓ６０２）。リーダライタ５００Ａがタグを検出したならば（Ｓ６０３）左上にタグがあることがわかるので、Ｓ６０８の処理へ進む。また、リーダライタ５００Bがタグを検出したならば（Ｓ６０４）左下にタグがあることがわかるので、Ｓ６０９の処理へ進む。いずれのＲＦＩＤリーダライタもタグを検出できなければ、原稿１０の右端がＲＦＩＤリーダライタ５００Ａと５００Ｂを横きるまで待ち、そのタイミングＴ２において両リーダライタはＲＦＩＤタグ６００をリードする（Ｓ６０５）。そのとき、リーダライタ５００Ａがタグを検出したならば（Ｓ６０５）右上にタグがあることがわかるので、Ｓ６１０の処理へ進む。また、リーダライタ５００Bがタグを検出したならば（Ｓ６０７）右下にタグがあることがわかるので、Ｓ６１１の処理へ進む。いずれのＲＦＩＤリーダライタもタグを検出できなければ、読取用紙にタグが含まれていないと判断し本発明の特徴的な処理はおこなわずに読取動作は終了する（Ｓ６１２）。
【００１９】
図７は対機器タグ位置が左上のときに行われる処理（Ｓ６０８）を説明するフローチャート図である。本処理のスタート（Ｓ７０１）に続きＳ７０２においてＲＦＩＤタグ６００から読み取られた情報を解読し内容に応じて適切な判断を下すものである。
【００２０】
すなわちＲＦＩＤタグ６００から読み取られた情報の対用紙タグ位置情報が左上であれば（Ｓ７０３）用紙は表面、正立であると判断する（Ｓ７０６）。また、左下であれば（Ｓ７０４）用紙は裏面、倒立であると判断する（Ｓ７０７）。また、右上であれば（Ｓ７０５）用紙は裏面、正立であると判断する（Ｓ７０８）。また、以上のいずれでもなければ、用紙は表面、倒立であると判断する（Ｓ７０９）。
【００２１】
図８は対機器タグ位置が左下のときに行われる処理（Ｓ６０９）を説明するフローチャート図である。本処理のスタート（Ｓ８０１）に続きＳ８０２においてＲＦＩＤタグ６００から読み取られた情報を解読し内容に応じて適切な判断を下すものである。
【００２２】
すなわちＲＦＩＤタグ６００から読み取られた情報の対用紙タグ位置情報が左上であれば（Ｓ８０３）用紙は裏面、倒立であると判断する（Ｓ８０６）。また、左下であれば（Ｓ８０４）用紙は表面、正立であると判断する（Ｓ８０７）。また、右上であれば（Ｓ８０５）用紙は表面、倒立であると判断する（Ｓ８０８）。また、以上のいずれでもなければ、用紙は裏面、正立であると判断する（Ｓ８０９）。
【００２３】
図９は対機器タグ位置が右上のときに行われる処理（Ｓ６１０）を説明するフローチャート図である。本処理のスタート（Ｓ９０１）に続きＳ９０２においてＲＦＩＤタグ６００から読み取られた情報を解読し内容に応じて適切な判断を下すものである。
【００２４】
すなわちＲＦＩＤタグ６００から読み取られた情報の対用紙タグ位置情報が左上であれば（Ｓ９０３）用紙は裏面、正立であると判断する（Ｓ９０６）。また、左下であれば（Ｓ９０４）用紙は表面、倒立であると判断する（Ｓ９０７）。また、右上であれば（Ｓ９０５）用紙は表面、正立であると判断する（Ｓ９０８）。また、以上のいずれでもなければ、用紙は裏面、倒立であると判断する（Ｓ９０９）。
【００２５】
図１０は対機器タグ位置が右上のときに行われる処理（Ｓ６１１）を説明するフローチャート図である。本処理のスタート（Ｓ７０１）に続きＳ７０２においてＲＦＩＤタグ６００から読み取られた情報を解読し内容に応じて適切な判断を下すものである。
【００２６】
すなわちＲＦＩＤタグ６００から読み取られた情報の対用紙タグ位置情報が左上であれば（Ｓ１００３）用紙は表面、倒立であると判断する（Ｓ１００６）。また、左下であれば（Ｓ１００４）用紙は裏面、正立であると判断する（Ｓ１００７）。また、右上であれば（Ｓ１００５）用紙は裏面、倒立であると判断する（Ｓ１００８）。また、以上のいずれでもなければ、用紙は表面、正立であると判断する（Ｓ１００９）。
【００２７】
以上が原稿を読み取る際に原稿の裏表、向きを自動検知する実施形の説明である。非読取原稿のタグを検知、読み取る手段としては上で述べた方法のほかに、原稿に金刷して移動する光源２４を含むユニットにＲＦＩＤリーダライタを載置してもよい。
【００２８】
記録紙に画像を印刷する際に記録紙に含まれるＲＤＩＤタグに対用紙位置情報を書き込む手段について詳細に説明する。図１１はデジタル複合機を用紙カセット２８の方向から記録紙が給紙される方向と一対のＲＦＩＤリーダライタ５００Ｃ、５００Ｄの位置関係を説明する図である。図５のフローチャートをもとにして説明する。
【００２９】
印刷動作が開始したならば（Ｓ５０１）、記録紙５の前縁がＲＦＩＤリーダライタ５００Ｃと５００Ｄを横切るタイミング１においてＲＦＩＤタグ６００をリードする（Ｓ５０２）。リーダライタ５００Ｃがタグを検出したならば（Ｓ５０３）、左上にタグがあることがわかるので、Ｓ５０８の処理へ進み直ちに左上情報をＲＦＩＤリードライタ５００Ｃで書き込む。また、リーダライタ５００Ｄがタグを検出したならば（Ｓ５０４）、左下にタグがあることがわかるので、Ｓ５０９の処理へ進み直ちに左下情報をＲＦＩＤリードライタ５００ＤでＲＦＩＤタグ６００へ書き込む。いずれのＲＦＩＤリーダライタもタグを検出できなければ、原稿５の後縁がＲＦＩＤリーダライタ５００Ｃと５００Ｄを横きるまで待機し、そのタイミング２において両リーダライタはＲＦＩＤタグ６００をリードする（Ｓ５０５）。そのとき、リーダライタ５００Ｃがタグを検出したならば（Ｓ５０６）右上にタグがあることがわかるので、Ｓ５１０の処理へ進み、直ちに右上情報をＲＦＩＤリードライタ５００ＣでＲＦＩＤタグ６００に書き込む。また、リーダライタ５００Ｄがタグを検出したならば（Ｓ５０７）右下にタグがあることがわかるので、Ｓ５１１の処理へ進み、直ちに右下情報をＲＦＩＤリードライタ５００Ｃで書き込む。いずれのＲＦＩＤリーダライタもタグを検出できなければ、読取用紙にタグが含まれていないと判断し本発明の特徴的な処理はおこなわずに印刷動作は終了する（Ｓ５１２）。
【００３０】
上記、実施例は記録紙上のＲＦＩＤタグ６００の位置が四隅のどこにあっても位置を検知できる構成である。ＲＦＩＤタグ６００の位置が定まった実施形であれば、ＲＦＩＤリーダライタの位置はその経路上に一つあればよい。
【図面の簡単な説明】
【００３１】
【図１】本発明を実施したデジタル複合機のドキュメントフィーダ部を上から俯瞰し、非読取原稿の給紙方向とＲＦＩＤタグリーダライタとの位置関係を説明する図である。
【図２】本発明を実施したデジタル複合機を説明する断面図である。
【図３】本発明で用いられるＲＦＩＤタグの電気的構成を説明するブロック図である。
【図４】本発明で用いられるＲＦＩＤタグリーダライタの電気的構成を説明するブロック図である。
【図５】本発明を実施したデジタル複合機で文書の印刷を行うときに原稿上のＲＦＩＤタグに情報を書き込む手順を説明するフローチャート図である。
【図６】本発明を実施したデジタル複合機で文書の読み取りを行うときに原稿上ＲＦＩＤタグの検出、及び読み取りと原稿の裏表向き判定を行う動作手順を説明するフローチャート図である。
【図７】図６のフローチャートにおいて手順６０８を詳細に説明するフローチャート図である。
【図８】図６のフローチャートにおいて手順６０９を詳細に説明するフローチャート図である。
【図９】図６のフローチャートにおいて手順６1０を詳細に説明するフローチャート図である。
【図１０】図６のフローチャートにおいて手順６1０を詳細に説明するフローチャート図である。
【図１１】本発明を実施したデジタル複合機を記録紙給紙部方向の側面図で、記録紙の給紙方向とＲＦＩＤタグリーダライタとの位置関係を説明する図である。
【図１】
2006173745.tif 000003
【図２】
2006173745.tif 000004
【図３】
2006173745.tif 000005
【図４】
2006173745.tif 000006
【図５】
2006173745.tif 000007
【図６】
2006173745.tif 000008
【図７】
2006173745.tif 000009
【図８】
2006173745.tif 000010
【図９】
2006173745.tif 000011
【図１０】
2006173745.tif 000012
【図１１】
2006173745.tif 000013